(57)【要約】【課題】袋状容器の開口部の大小に対応して取り付けて開口部を開口状態に保持でき、取り付けや取り外しが容易で、使用勝手に優れた袋状容器の開口保持具を提供する。【解決手段】袋状容器の開口保持具１は、袋状容器１００の開口部１０１を開口状態に保持する袋状容器の開口保持具であり、板状の部材により作られており、袋状容器１００の開口部１０１の内面側に配置される本体２と、本体２に設けられて本体２の外面を開口部１００の内面に押し付ける押し付け手段３と、を有する。【選択図】図１
2020200089.tif 000002
【特許請求の範囲】
【請求項１】
袋状容器の開口部を開口状態に保持する袋状容器の開口保持具であって、
板状の部材により作られており、前記袋状容器の前記開口部の内面側に配置される本体と、
前記本体に設けられて前記本体の外面を前記開口部の前記内面に押し付ける押し付け手段と、
を有することを特徴とする袋状容器の開口保持具。
【請求項２】
前記押し付け手段は、弾性部材であり、前記本体の一端部と他端部との間に取り付けられている請求項１に記載の袋状容器の開口保持具。
【請求項３】
前記本体の前記外面の周囲長を調整する寸法調整手段を有する請求項１または２に記載の袋状容器の開口保持具。
【請求項４】
前記開口保持具の前記本体を、固定部側に取り付ける取付手段を有する請求項１ないし３のいずれか１項に記載の袋状容器の開口保持具。
【請求項５】
前記取付手段は、前記固定部側に磁気的に着脱可能に取り付けるマグネットである請求項４に記載の袋状容器の開口保持具。
【請求項６】
前記取付手段は、前記固定部側に機械的に取り付けるアタッチメントである請求項４に記載の袋状容器の開口保持具。
【請求項７】
前記取付手段は、前記固定部側である床面に立てて保持するスタンド部材である請求項４に記載の袋状容器の開口保持具。
【請求項８】
前記本体の外面には、滑り止め部材が配置されている請求項１ないし７のいずれか１項に記載の袋状容器の開口保持具。
【発明の詳細な説明】
【技術分野】
【０００１】
本発明は、例えばスーパーのショッピングバッグ等の袋状容器の開口部を、閉じないように開口状態に保持する袋状容器の開口保持具に関する。
【背景技術】
【０００２】
袋状容器の開口部を開口状態で固定する保持具（治具ともいう）は、数多く特許化及び公知化されている。特に、この種の保持具は、ゴミ用の袋状容器の開口部を、開口状態で保持することができる。この袋状容器は、例えばスーパーのショッピングバッグ等を利用した安価なものであり、しかもそのまま廃棄できる。
【０００３】
実際、袋状容器の開口部を開口状態で保持することは、ゴミ用の袋状容器の用途に限らず、多くの用途が考えられる。例えば、農業での農産物の袋状容器詰めや果樹の袋状容器詰め作業では、開口状態の袋状容器には、収穫したものを直接収納できて、袋状容器をそのまま出荷できれば、生産性の大幅な向上が実現できる。
【０００４】
あらゆる産業において、袋状容器の詰め替え回数を減らすことのできる開口部の保持技術は有効である。特に、労働集約が必要な１次産業での包装作業の単純化を可能とする技術は、大きな生産性の向上効果が期待できる。その袋状容器の開口部保持技術の必要性が認識されているために、多くの特許技術が公開されている。
【０００５】
開口部の開口保持技術は、詰め替え作業の低減する効果を上げることは明確であるが、同時に単純作業の中で使われることが多い。このため、保持具が袋状容器に対して簡単にセットできること、保持具が袋状容器のサイズに影響されずにセットできること、袋状容器が保持具から容易に脱落しないこと、そして収納の終了後に保持具が袋状容器から容易に脱着できること等が要求されている。
【先行技術文献】
【特許文献】
【０００６】
【特許文献１】実用新案登録第３１１６０３０号公報
【特許文献２】特許第３８２７８７３号公報
【特許文献３】特開平７-２３７６２３号公報
【特許文献４】実用新案登録第３１７０７７１号公報
【特許文献５】特許第２９３４６２９号公報
【発明の概要】
【発明が解決しようとする課題】
【０００７】
袋状容器の開口部を開口状態で保持することは、作業性や生産性の大幅な向上に寄与することは既知であるが、実施する上では次のような課題がある。
開口保持具を袋状容器の縁辺部に固定して内容物を収納した時に、袋状容器が開口保持具から容易に外れない固定強度を持つ必要がある。開口状態を保持する場合に、開口保持具は、袋状容器の口径の多様さ（大小）に対応できる必要がある。開口保持した状態で袋状容器の円周（周囲長）が開口保持具を取り付ける突っ張り力などで内面が伸びたり縮んだりすることに対応できる必要がある。開口保持具の着脱が容易で無ければ、収納物の袋状容器への袋詰めの生産性や作業性の向上には貢献できない。特に、袋状容器が満杯状態であっても、開口保持具の脱着が容易であり、開口保持具が長期に渡っての使用に耐えられること等が必要である。
【０００８】
特許文献１の「ゴミ袋状容器開口吊具」は、袋状容器とほぼ同口径の開口吊具をはめて開口吊具に開けた穴に吊り紐のついた留め具を持って袋状容器の一部を開口吊具に縫い付けて固定する。袋状容器は、吊り紐を含むことで携行を可能とする。しかしながら、開口吊具の取り付け作業が煩雑である上、確実に縫い付けられることを確認する必要があり、また、開口吊具を脱着する時に内容物を漏出させぬように特別の配慮が必要となる。
【０００９】
特許文献２の「袋状容器状容器の開口保持具」は、開口保持具の取り付け前には撓み部が撓んでいて、取り付け時に撓みを戻すことで開口保持具の円周を拡張できる構造を特徴とする。袋状容器の開口部円周とほぼ同じ口径の開口保持具であることが必須である、開口保持具の内側に在る撓み部を戻すことで円周を増し、円周を拡張することで突っ張ることによって袋状容器を治具に固定する。この場合には、撓みを戻した時に突っ張れる円周長さの袋状容器にしか対応できない。従って変形可能な撓み部を戻して対応できる袋状容器にのみ取り付けが可能であり、適用できる袋状容器の口径の大小には限度がある。従って、限度以上の円周の袋状容器には対応できない。また、袋状容器が収納物でいっぱいになった時には、撓み部を再度戻して開口保持具の円周を短くして、袋状容器から脱着させることは大変に難しい。
【００１０】
特許文献３の「袋状容器開口保持具および袋状容器開口保持具部材」は、摺動して拡張、縮小できる枠の開口保持具に、クリップ状の固定具で袋を固定する技術である。固定治具に袋状容器を固定する為の固定治具を複数個取り付ける必要があり、開口保持具の取り付けが煩雑である。その上、脱着時にも取り付け時と同じ操作が必要である。
【００１１】
特許文献４の「可撓性袋状容器の開口自立保持具」は、弾性を有する樹脂シートを丸めて袋の中に嵌合させて、広がる力で開口を保持且つ自立させる。しかしながら、長期の使用でシートの可撓性が失われると袋状容器の保持が困難になる。また、収納作業後に樹脂シートを脱着する必要があるが、内容物によってはシートの取り出し時に内容物の漏出の懸念がある。また、洗浄をしないと再利用できない場合も想定される。収納袋から改めて廃棄用の袋等に入れ替えるのと同等の作業が必要になる。
【００１２】
特許文献５の「ポリ袋状容器開口環および該環適用ポリ袋状容器」は、プラスティックシートの輪を作りこれに袋状容器の円周部を巻きつけて開口部を維持する。比較的幅広い口径の袋状容器に対応できるが、開口環状治具の口径は固定されているので、円周が小さいものには対応できない。開口環状治具より大幅に大きな袋状容器には対応できない。また、開口保持具の取り付けは容易とは言い難い。
【００１３】
本発明は、上記に鑑みてなされたもので、その目的とするところは、袋状容器の開口部の大小に対応して取り付けて開口部を開口状態に保持でき、取り付けや取り外しが容易で、使用勝手に優れた袋状容器の開口保持具を提供することにある。
【課題を解決するための手段】
【００１４】
前記課題を解決するための、本発明の第１の袋状容器の開口保持具は、袋状容器の開口部を開口状態に保持する袋状容器の開口保持具であって、板状の部材により作られており、前記袋状容器の前記開口部の内面側に配置される本体と、前記本体に設けられて前記本体の外面を前記開口部の前記内面に押し付ける押し付け手段と、を有することを特徴とする。
【００１５】
第１の袋状容器の開口保持具おいては、本体は、袋状容器の開口部の内面側に配置され、押し付け手段は、本体の外面を開口部の内面に押し付ける。従って、袋状容器の開口部の大小に対応して取り付けて開口部を開口状態に保持でき、取り付けや取り外しが容易で、使用勝手に優れている。
【００１６】
第２の袋状容器の開口保持具は、前記押し付け手段は、弾性部材であり、前記本体の一端部と他端部との間に取り付けられていることを特徴とする。
第２の袋状容器の開口保持具おいては、押し付け手段は、本体の一端部と他端部の間に取り付けられているので、押し付け手段は、本体の外面側には出ない位置で、押し付け手段が袋状容器の内面に当たることはなく、本体の外面を開口部の内面に押し付けることができる。
【００１７】
第３の袋状容器の開口保持具は、前記本体の前記外面の周囲長を調整する寸法調整手段を有することを特徴とする。
請求項３の袋状容器の開口保持具おいては、袋状容器の開口部の大きさに応じて、本体の外面の周囲長を調整することができ、使用勝手に優れる。
【００１８】
第４の袋状容器の開口保持具は、前記開口保持具の前記本体を、固定部側に取り付ける取付手段を有することを特徴とする。
第４の袋状容器の開口保持具おいては、取付手段は、本体とこの本体に取り付けられた袋状容器を固定部側に、袋状容器の開口部を開口状態に保持した状態で、容易に取り付けることができる。
【００１９】
第５の袋状容器の開口保持具は、前記取付手段は、前記固定部側に磁気的に着脱可能に取り付けるマグネットであることを特徴とする。
第５の袋状容器の開口保持具おいては、マグネットは、本体とこの本体に取り付けられた袋状容器を固定部側に、袋状容器の開口部を開口状態に保持した状態で、磁気的吸引力で簡単に取り付けることができる。
【００２０】
第６の袋状容器の開口保持具は、前記取付手段は、前記固定部側に機械的に取り付けるアタッチメントであることを特徴とする。
第６の袋状容器の開口保持具おいては、アタッチメントは、本体とこの本体に取り付けられた袋状容器を固定部側に、袋状容器の開口部を開口状態に保持した状態で、機械的に簡単に取り付けることができる。
【００２１】
第７の袋状容器の開口保持具は、前記取付手段は、前記固定部側である床面に立てて保持するスタンド部材であることを特徴とする。
第７の袋状容器の開口保持具おいては、スタンド部材は、本体とこの本体に取り付けられた袋状容器を固定部側に、袋状容器の開口部を開口状態に保持した状態で、床面に対して立てて簡単に保持することができる。
【００２２】
第８の袋状容器の開口保持具は、前記本体の外面には、滑り止め部材が配置されていることを特徴とする。
第８の袋状容器の開口保持具おいては、本体は、袋状容器の内面からさらに外れにくくなり、使用勝手が向上する。
【発明の効果】
【００２３】
以上説明したように、本発明によれば、袋状容器の開口部の大小に対応して取り付けて開口部を開口状態に保持でき、取り付けや取り外しが容易で、使用勝手に優れた袋状容器の開口保持具を提供できる。
【図面の簡単な説明】
【００２４】
【図１】本発明の袋状容器の開口保持具の好ましい第１実施形態を示す斜視図である。
【図２】図２は、図１に示す袋状容器の開口保持具を示す平面図である。
【図３】袋状容器の開口保持具を袋状容器の内部に装着する様子を示す図である。
【図４】開口保持具が、袋状容器の内面の縁辺部に密着して配置されている状態を示す図である。
【図５】袋状容器の取っ手が、矢印Ｑ方向に折り曲げられた状態を示す図である。
【図６】袋状容器が開口保持具を用いた図５に示す状態とは異なる使用例を示す図である。
【図７】ショッピングバッグのような袋状容器の別の使用例を示す図である。
【図８】第１実施形態の開口保持具の応用例を示す図である。
【図９】第１実施形態の開口保持具の応用例を示す図である。
【図１０】第１実施形態の開口保持具の応用例を示す図である。
【図１１】第１実施形態の開口保持具の応用例を示す図である。
【図１２】第１実施形態の開口保持具の応用例を示す図である。
【図１３】第１実施形態の開口保持具の応用例を示す図である。
【図１４】本発明の第２実施形態を示す図である。
【図１５】本発明の第３実施形態を示す図である。
【図１６】本発明の第４実施形態を示す図である。
【図１７】本発明の第５実施形態を示す図である。
【図１８】本発明の他の実施形態を示す図である。
【図１９】本発明の他の実施形態を示す図である。
【発明を実施するための形態】
【００２５】
以下、図面を用いて、本発明の袋状容器の開口保持具の好ましい実施形態を、順次説明する。
（第１実施形態）
図１は、本発明の袋状容器の開口保持具の好ましい第１実施形態を示す斜視図である。図２は、図１に示す袋状容器の開口保持具を示す平面図である。図３は、袋状容器の開口保持具を袋状容器の内部に装着する様子を示す図である。
【００２６】
図１に示す袋状容器の開口保持具１（以下、開口保持具と略称する）は、図３に示す袋状容器１００の開口部１０１を開口状態で継続して保持することができる。開口保持具１は、開口治具とも呼ぶことができる。この開口保持具１が使用される袋状容器１００は、例えばスーパーマーケット等で使用されるショッピングバング等である。袋状容器１００は、比較的厚みの薄い袋であり、袋自体では自立できないものである。
【００２７】
図１と図２に示す開口保持具１は、本体２と、押し付け手段３と、を有する。本体２は、薄い帯状部材あるいは板状部材であり、円形状に巻かれた状態に維持されている。開口保持具１の本体２は、弾性変形可能で比較的剛性の高い樹脂材料、例えばＰＰ（ポリプロピレン）、ＰＥＴ（ポリエチレンテレフタレート）、ＰＣ（ポリカーボネート）等により作られている。あるいは、開口保持具１の本体２は、弾性変形可能で比較的剛性の高い金属材料、例えばアルミニウムや鉄等により作られている。さらには、開口保持具１の本体２は、上述した弾性変形可能で比較的剛性の高い金属材料と樹脂材料とを積層することにより作られている。
【００２８】
図１と図２に示す開口保持具１の本体２は、円形状に巻かれているが、一端部２Ａと他端部２Ｂを有する。本体２の一端部２Ａと他端部２Ｂとは、重なっていて、一端部２Ａは、他端部２Ｂの外側に位置されている。一端部２Ａの内周面と他端部２Ｂの外周面の間には、例えばゴムやスプリングのような弾性部材である押し付け手段３が設けられている。
【００２９】
このため、押し付け手段３は、本体２の外面２Ｃ側には出ない位置で、押し付け手段３が袋状容器１００の内面に当たることはなく、本体２の外面２Ｃを開口部１０１の内面に押し付けることができる。この押し付け手段３は、本体２の外面２Ｃを、図３に示す袋状容器１００の内面の縁辺部１０２に対して押し付けることで、袋状容器１００の開口部１０１を、円形状に常時開口する機能を有する。
【００３０】
図１に示す開口保持具１が、図３に示す袋状容器１００の開口部１０１を開口状態で保持する機構としては、開口保持具１の本体２の材料の柔軟性は利用するが可撓性は利用しない。このため、開口保持具１の本体２は、なんらかの外力で変形しない限り性能劣化することはなく、長期にわたって使用が可能である。ただし、押し付け手段３として、ゴムやスプリングのような弾性体（弾性部材）を利用しているため、ゴムやスプリングが長期の使用で劣化することはあっても本体２自体が時間経過により劣化して使用できなくなることはない。このため、押し付け手段３は、好ましくは本体２に対して交換可能に取り付けられている。従って、押し付け手段３が劣化した場合には、本体２から取り外して、押し付け手段３だけを交換すれば良い。
【００３１】
図３を参照して、開口保持具１を袋状容器１００の開口部１０１の内面の縁辺部１０２に対して取り付ける例を説明する。
図３（Ａ）に示すように、開口保持具１は、袋状容器１００の開口部１０１から袋状容器１００の内部に入れる。そして、図３（Ｂ）に示すように開口保持具１の一辺側は、内面の縁辺部１０２の一方側に対して当てて、図３（Ｃ）に示すように開口保持具１の他辺側は、内面の縁辺部１０２の他方側に対して無理にあるいは強制的に押し当てる。
【００３２】
これにより、図３（Ｃ）に示すように、開口保持具１の本体２の外面２Ｃは、内面の縁辺部１０２に沿って全周に渡って押し当てられ状態で密着される。このように、開口保持具１の本体２の外面２Ｃが内面の縁辺部１０２に密着される位置は、袋状容器１００の開口部１０１の縁部１０３から、袋状容器１００の底部１０４に向かって、所定の距離Ｄ、例えば５０ｍｍから１００ｍｍの位置である。これにより、開口保持具１は、袋状容器１００の開口部１０１を常時開放した状態で保持できる。しかも、使用者は、袋状容器１００の開口部１０１内での開口保持具１の本体２の位置を、目視で確認することができる。
【００３３】
図１と図２に示す本体２の周囲長（口径、外径寸法ともいう）は、袋状容器１００の内面の縁辺部１０２の内周長さ（内径寸法ともいう）よりも、好ましくは約５％から１５％程度大きく設定されている。このため、図３（Ｃ）に示すように、開口保持具１が袋状容器１００の開口部１０１に取り付けられた状態では、開口保持具１の本体２は、押し付け手段３の力に抗して、袋状容器１００の内面の縁辺部１０２によって、当初設定された外径寸法よりも約５％から約１５％程度、強制的に縮められることになる。
【００３４】
この強制的に縮められた本体２の寸法により、開口保持具１は円周や外寸を延長させる力となって、元の長さを回復する方向に作用する。これにより、本体２の外面２Ｃは、袋状容器１００の内面の縁辺部１０２の全周にわたって突き当たり、本体２は袋状容器１００の開口部１０１を確実に開放状態に保持することができる。
【００３５】
しかも、図２に示すように、押し付け手段３が、本体２の一端部２Ａと他端部２Ｂに配置されていて、押し付け手段３は、本体２の一端部２Ａと他端部２Ｂを、矢印Ｒと矢印Ｓで示すように反対方向に押し付けている。これにより、本体２の外面２Ｃを、図３（Ｃ）に示す袋状容器１００の内面の縁辺部１０２に対して、より確実に押し付けることができる。従って、開口保持具１は、袋状容器１００の内面の縁辺部１０２から外れることがなく、本体２は袋状容器１００の開口部１０１を、ほぼ円形状に開口した状態を、確実に保持することができる。
【００３６】
開口保持具１の本体２は、シート状部材あるいは帯状部材あるいは板状部材を、円筒状あるいは円形状に巻いたものであり、巻き込むことと巻き戻すことによって、各種のサイズの袋状容器１００に対応して、容易に取り付けることができる。図１と図２に示すように、本体２の一端部２Ａと他端部２Ｂとは、重なっている。このため、一端部２Ａの位置と他端部２Ｂの位置が相互に移動することで、本体２の外面２Ｃは、異なるサイズの袋状容器１００の内面の縁辺部１０２の全周に渡って、常時密着できる。すなわち、本体２は、異なるサイズの袋状容器１００の開口部１０１の外周長あるいは内径の寸法に合わせて、袋状容器１００の内面の縁辺部１０２の全周に渡って、常時密着できる。
【００３７】
また、図２に例示するように、好ましくは本体２の外面２Ｃには、滑り止め部材５を配置することができる。この滑り止め部材５は、ゴムや樹脂等の薄いフィルムであり、外面２Ｃに配置することで、本体２の外面２Ｃと、図３に示す袋状容器１００の内面の縁辺部１０２と、の間の滑り現象を防止する。このため、本体２が内面の縁辺部１０２からさらに外れにくくなり、使用勝手が向上する。
【００３８】
図４は、開口保持具１が、袋状容器１００の内面の縁辺部１０２に密着して配置されている状態を示している。図５は、袋状容器１００の取っ手１０６，１０６が、矢印Ｑ方向に折り曲げられた状態を示している。
図４に示すように、開口保持具１の本体２の外面２Ｃは、内面の縁辺部１０２の全周にわたって外方向Ｐに沿って押し付けられている。このため、本体２の外面２Ｃは、袋状容器１００の内面の縁辺部１０２の全周に渡って、常時密着でき、開口部１０１はほぼ円形状に常時開口される。そして、図５に示すように、袋状容器１００を使用する際には、取っ手１０６，１０６を矢印Ｑ方向に向けるとともに開口部１０１を上に向けた状態で、収納物は、開口部１０１を通じて袋状容器１００の内部に、容易に収納できる。
【００３９】
図６は、袋状容器１００が開口保持具１を用いた図５に示す状態とは異なる使用例を示している。図６（Ａ）では、開口保持具１が袋状容器１００の内面の縁辺部１０２に密着して配置されている。図６（Ｂ）では、図６（Ａ）に示すように、一度固定した袋状容器１００から底部１０４を矢印Ｓ方向に引き上げて、底部１０４を本体２の中を通す。そして、袋状容器１００の上下をひっくり返して、袋状容器１００の表裏を逆にした状態で、袋状容器１００が使用できる。これにより、開口保持具１の本体２は、図６（Ｂ）に示すように、袋状容器１００により包まれることになり、袋状容器１００の開口部１０１の開口保持の強度を強化できる。
【００４０】
図７は、ショッピングバッグのような袋状容器１００の別の使用例を示している。図７（Ａ）では、開口保持具１が袋状容器１００の内面の縁辺部１０２に密着して配置され、環状の取っ手１０７，１０７が、袋状容器１００に取り付けられている。図７（Ｂ）では、この取っ手１０７，１０７が、矢印Ｑに沿って下がっている。
【００４１】
次に、上述した開口保持具１を袋状容器１００に装着する手順と取り外す手順の例を説明する。
図３（Ａ）に例示するように、開口保持具１は、袋状容器１００の開口部１０１から袋状容器１００の内部に入れる。すなわち、袋状容器１００を水平面に置いて開口部１０１を開いて、開口部１０１に開口保持具１の本体２を入れて、本体２の外面２Ｃを袋状容器１００の内面の縁辺部１０２に当てる。
【００４２】
一例として、本体２の周囲長さ（全長）は、袋状容器１００の開口幅の約２倍の長さに更に開口幅の１０％から１５％を足して、本体２の長さの合計が袋状容器１００の開口幅の２１０％から２１５％の長さに設定されている。開口保持具１の本体２の一端部２Ａと他端部２Ｂとを、本体２が環状になるように例えば輪ゴムのような弾性体としての押し付け手段３で止めている。
【００４３】
図３（Ｂ）に示すように、環状になった開口保持具１を袋状容器１００内に入れて一番手前の部分を袋状容器１００の開口縁の内側に当てる。すなわち、開口保持具１の一辺側は、内面の縁辺部１０２の一方側に対して当てる。そして、図３（Ｃ）に示すように開口保持具１の他辺側は、内面の縁辺部１０２の他方側に対して無理にあるいは強制的に押し当てる。開口保持具１の一番手前の部分を押さえて開口保持具１の奥の先端部分を引っ張って立てる。最終的に開口保持具１は、袋状容器１００の縁辺部迄引き上げることによって開口保持具１を袋状容器１００内に固定する。
【００４４】
この装着状態では、開口保持具１はその拡がろうとする力は、開口保持具１の本体２の外面２Ｃを半径方向外に向けて広げる方向に働き、袋状容器１００の内面が開口保持具１に押し付けられる。この時には、この押し付ける力の方向は、図４において矢印Ｐで示すように、袋状容器１００の内面に対して直角にかかる。従って、袋状容器１００を開口保持具１から引き剥がすことを、袋状容器１００に対して直角な力で外そうとしても容易に外れない。
【００４５】
しかしながら、袋状容器１００の開口部縁を開口保持具１の本体２の外面２Ｃと同じ方向に動かす場合には、袋状容器１００の圧力を受けている部分は、袋状容器１００に平行に掛かるので大きな力は使わずに、外すことができる。例えば、図４に示すように、開口保持具１が袋状容器１００に取り付けられた状態で、図５に示すように、袋状容器１００の取っ手を矢印Ｑ方向に引くことで、袋状容器１００は開口保持具１から容易に取り外すことができる。例え、袋状容器１００が収納物によって満杯になっていたとしても、袋状容器１００は開口保持具１から、容易にかつ内容物を漏出させることなく取り外すことができる。
【００４６】
（第１実施形態の応用例）
次に、図８ないし図１３を参照して、上述した第１実施形態の開口保持具１の応用例を、図面を参照しながら順次説明する。図８ないし図１３は、第１実施形態の開口保持具１の応用例をそれぞれ示している。
図８に示す例では、開口保持具１の本体２は、フック２Ｐを有している。このフック２Ｐを図示しない任意の固定部側の部位に引掛けることで、袋状容器１００を開口保持している開口保持具１を掛けることができる。
【００４７】
しかも、この開口保持具１は、例えば机や床面や壁面や地面等の平面部分Ｌに置いて押し付けると、開口保持具１の本体２は、平面部分Ｌの形状に追随して平面状に弾性変形することで、袋状容器１００は平面部分Ｌに安定して位置決めできる。このため、収納物は、袋状容器１００の開口部１０１を通じて、袋状容器１００内に容易に収納することができる。
【００４８】
図９（Ａ）に示す例では、開口保持具１の本体２が、取付手段の例としてのマグネットＭＧを有している。このマグネットＭＧは、机や床面や壁面や地面等の固定部の金属部分Ｎに磁気的に吸着することで、袋状容器１００を、安定して保持できる。
図９（Ｂ）に示す例では、開口保持具１の本体２が、グリップ２Ｍを有している。このグリップ２Ｍは、例えば机や床面や壁面や地面等の固定部のフックＦに掛けることにより、袋状容器１００を、安定して保持できる。
【００４９】
図１０に示す例では、塵取り用の案内部材Ｈが、開口保持具１の本体２に対して、好ましくは着脱可能に装着されている。この案内部材Ｈは、金属あるいは樹脂により作られており、ほぼ断面Ｖ字型を有している。開口保持具１が装着されている袋状容器１００は、例えば床面等の平面部分Ｌに置かれている。案内部材Ｈが本体２に装着されることにより、ゴミ等の収納物Ｗは、矢印Ｇ方向に沿って直線上に、開口部１０１を通じて案内して袋状容器１００内に、容易に収納できる。
【００５０】
図１１に示す例では、例えば取付手段の例のアタッチメントとしての専用スタンド部材Ｋが、連結部Ｔを有する。開口保持具１の本体２は、この専用スタンド部材Ｋの連結部Ｔに対して、例えば図１１の紙面垂直方向に挿入することで、本体２と袋状容器１００は、着脱自在にしかも容易に、自立させた状態で保持することができる。ゴミ等の収納物は、開口部１０１を通じて袋状容器１００内に、容易に収納できる。
【００５１】
図１２に示す例では、ボックス型の取付手段としての専用スタンド部材ＳＨが用意され、開口保持具１の本体２は、専用スタンド部材ＳＨの内部に収納されている。この例では、本体２の外面側は、専用スタンド部材ＳＨの内面に密接することで、開口保持具１は専用スタンド部材ＳＨ内でずれないように保持できる。これにより、本体２と袋状容器１００は、着脱自在にしかも容易に、固定部側の例えば床面上に自立させた状態で保持することができる。ゴミ等の収納物は、開口部１０１を通じて袋状容器１００内に、容易に収納できる。
【００５２】
図１３に示す例では、取付手段の例のアタッチメントとしての専用脚立ＣＨが用意され、開口保持具１の本体２は、専用脚立ＣＨに固定されている。これにより、本体２と袋状容器１００は、着脱自在にしかも容易に、固定部である床面に対して自立させた状態で保持することができる。ゴミ等の収納物は、開口部１０１を通じて袋状容器１００内に、容易に収納できる。
上述した第１実施形態の袋状容器の開口保持具１は、袋状容器１００の開口部１０１の大小に対応して取り付けて開口部１０１を、ほぼ円形状に開いた開口状態に保持でき、取り付けや取り外しが容易で、使用勝手に優れている。
【００５３】
次に、第１実施形態とは異なる別の実施形態を、図面を参照しながら順次説明する。
（第２実施形態）
まず、本発明の第２実施形態を、図１４を参照して説明する。図１４は、本発明の第２実施形態を示している。図２に示す第１実施形態では、本体２の一端部２Ａの内面と他端部２Ｂの外面の間には、ゴムやスプリングのような押し付け手段３が設けられている。この押し付け手段３は、本体２の外面２Ｃを、図３に示す袋状容器１００の内面の縁辺部１０２に対して押し付けることで、袋状容器１００の開口部１０１を常時開放する。
【００５４】
これに対して、図１４に示す押し付け手段３Ａは、同様にしてゴムやスプリングを用いているのは同様であるが、押し付け手段３Ａは、他端部２Ｂの内面側に配置されている。押し付け手段３Ａの一端部分は、他端部２Ｂの内面の突起２Ｇに固定され、押し付け手段３Ａの他端部分は、一端部２Ａの内面に設けられた突起２Ｈに固定されている。
上述した第２実施形態の袋状容器の開口保持具１は、袋状容器１００の開口部１０１の大小に対応して取り付けて開口部１０１をほぼ円形状の開口状態に保持でき、取り付けや取り外しが容易で、使用勝手に優れている。
【００５５】
（第３実施形態）
図１５は、本発明の第３実施形態を示している。上述した第１実施形態の開口保持具１と第２実施形態の開口保持具１は、本体２がともに円筒形あるいは円形状に巻かれている。
【００５６】
これに対して、第３実施形態の開口保持具１Ａの本体２の形状は、円形状ではなく矩形である。本体２は、対向配置されている部分２Ｅおよび部分２Ｆと、一対の寸法調整手段５０と、押し付け手段３０とを有していて、全体を矩形状に形成されている。部分２Ｅは、部分２Ｆよりも大きく、部分２Ｅと部分２Ｆは、ともにＵ字型であって対向している。部分２Ｅには、寸法調整手段５０,５０が設けられている。押し付け手段３０はゴムやスプリング等であり、押し付け手段３０の一端部３１は、寸法調整手段５０に連結され、押し付け手段３０の他端部３２は、部分２Ｆに固定されている。
【００５７】
押し付け手段３０の一端部３１は突起３３を有している。寸法調整手段５０には、ねじ切り部分５１を有している。突起３３は、いずれかのねじ切り部分５１にはまり込むことで、押し付け手段３０は、部分２Ｅと部分２ＦについてのＸ方向に関する位置を調整できる。すなわち、部分２０Ｅと部分２０Ｆとの位置間隔を調整することで、本体２の周囲長さの寸法調整を行うことができ、本体２の周囲長さは、袋状容器の開口部の大きさに合わせることができる。
【００５８】
このような角状の開口保持具１Ａにおいても、最初に袋状容器の外周寸法と開口保持具１Ａの外周囲の寸法を合わせて、開口保持具１Ａを更に１０から１５％広げて、袋状容器の開口部に入れる。これにより、矩形状の開口保持具１Ａは、環状の開口保持具１と同じように袋状容器に嵌合させることができる。しかも、押し付け手段３０は、部分２０Ｅと部分２０Ｆの外周を袋状容器の内面に押し付けて、Ｘ方向に沿って袋状容器の開口部を常に広げようとする力を発揮する。従って、押し付け手段３０は、袋状容器の内面の縁辺部に対して押し付けることで、袋状容器の開口部を、矩形状に常時開放することができる。
上述した第３実施形態の袋状容器の開口保持具１Ａは、袋状容器の開口部の大小に対応して取り付けて開口部を矩形状の開口状態に保持でき、取り付けや取り外しが容易で、使用勝手に優れている。
【００５９】
（第４実施形態）
図１６は、第４実施形態を示している。
第４実施形態では、開口保持具１Ｂの本体２は、例えばパイプ状の部材を用いて円形状に作られている。本体２の途中部分には、中断部分２Ｋを有している。この中断部分２Ｋは、一端部２Ｊと他端部２Ｌとを有する。一端部２Ｊと他端部２Ｌには、寸法調整手段５０Ａが設けられている。
【００６０】
寸法調整手段５０Ａとしては、一端部２Ｊと他端部２Ｌの一方または両方にネジ切り部分を設けて、ネジを取り付けて、ネジを回すことで、一端部２Ｊと他端部２Ｌの間隔を変える。寸法調整手段５０Ａとしては、例えばいわゆるターンバックル式のネジを用いることができる。これにより、本体２の大きさは、寸法調整手段５０Ａを回すことで、一端部２Ｊと他端部２Ｌの間隔を変えながら、袋状容器の開口部の大きさに合わせることができる。
【００６１】
また、本体２は、寸法調整手段５０Ａとは反対の位置に、例えば２つのばね等の押し付け手段３０が設けられている。押し付け手段３０は、本体２の全周長を長くする力を発揮して本体２を袋状容器の内面に押し付けて、Ｘ方向に沿って開口部を常に円形状になるように広げようとする力を発揮する。従って、押し付け手段３０は、袋状容器の内面の縁辺部に対して押し付けることで、袋状容器の開口部を常時開放することができる。
上述した第４実施形態の袋状容器の開口保持具１Ｂは、袋状容器の開口部の大小に対応して取り付けて開口部をほぼ円形状の開口状態に保持でき、取り付けや取り外しが容易で、使用勝手に優れている。
【００６２】
（第５実施形態）
図１７は、第５実施形態を示している。第５実施形態では、開口保持具１Ｃは、矩形もしくは台形状を有している。開口保持具１Ｃの本体２は、ほぼＬ字型の部分２Ｒと部分２Ｑを有する。部分２Ｒと部分２Ｑの一方側には、例えばターンバックルのような寸法調整手段５０Ｂが設けられ、部分２Ｒの他端部と部分２Ｑの他方部の間には、押し付け手段３が設けられている。寸法調整手段５０Ｂは、図１６に示す寸法調整手段５０Ａと同様の構造を有する。
【００６３】
これにより、本体２の大きさは、寸法調整手段５０Ｂを回すことで、部分２Ｒと部分２Ｑとの間隔を変えながら、袋状容器の開口部の大きさに合わせることができる。しかも、押し付け手段３は、本体２を袋状容器の内面に押し付けて、袋状容器の開口部を常に台形状または矩形状になるように広げようとする力を発揮する。従って、押し付け手段３は、本体２を袋状容器の内面の縁辺部に対して押し付けることで、袋状容器の開口部を台形状または矩形状に常時開放することができる。
上述した第５実施形態の袋状容器の開口保持具１Ｃは、袋状容器の開口部の大小に対応して取り付けて開口部を台形状または矩形状の開口状態に保持でき、取り付けや取り外しが容易で、使用勝手に優れている。
【００６４】
（その他の実施形態）
図１８と図１９は、その他の実施形態を示している。
図１８（Ａ）に示す例では、開口保持具１は、本体２と、押し付け手段３とを有する。本体２は、薄い帯状部材であり、円形状に巻かれており大きい円弧状である。押し付け手段３は、本体２の一端部と他端部に対して連続して設けられており、本体２に比べると小さい円弧状である。押し付け手段３は、本体２とは逆方向に、すなわち内側に向けて突出して形成されている。これにより、押し付け手段３を矢印Ｖ方向に押し出すことで、押し付け手段３は、本体２の外面２Ｃを、袋状容器１００の内面の縁辺部１０２に対して押し付けるので、袋状容器１００の開口部１０１を、ほぼ円形状に常時開放する。
【００６５】
図１８（Ｂ）に示す例では、開口保持具１は、本体２と、押し付け手段３とを有する。本体２は、薄い帯状部材であり、円形状に巻かれており大きい円弧状である。押し付け手段３は、本体２の一端部と他端部に対して連続して設けられており、Ｖ字型形状である。押し付け手段３は、本体２とは逆方向に、すなわち内側に向けて突出して形成されている。これにより、押し付け手段３を矢印Ｖ方向に押し出すことで、押し付け手段３は、本体２の外面２Ｃを、袋状容器１００の内面の縁辺部１０２に対して押し付けるので、袋状容器１００の開口部１０１を、ほぼ円形状に常時開放する。
【００６６】
図１８（Ｃ）に示す例では、開口保持具１は、本体２と、押し付け手段３とを有する。本体２は、薄い帯状部材であり、円形状に巻かれており大きい円弧状である。押し付け手段３は、本体２の一端部と他端部の間に設けられている。押し付け手段３は、Ｖ方向に弾性膨張する。これにより、押し付け手段３は、本体２の外面２Ｃを、袋状容器１００の内面の縁辺部１０２に対して押し付けることで、袋状容器１００の開口部１０１を、ほぼ円形状に常時開放する。
【００６７】
図１９（Ａ）から図１９（Ｃ）は、図１に示す開口保持具１の本体２の円形状とは異なる別の形状例を示している。図１９（Ａ）に示す本体２は、五角形であり、１９（Ｂ）に示す本体２は、正方形である。図１９（Ｃ）に示す本体２は、ほぼ円形であるが、一部が直線部分２Ｚになっている。
上述したそれぞれの実施形態の袋状容器の開口保持具は、袋状容器の開口部の大小に対応して取り付けて開口部を任意の形状の開口状態に保持でき、取り付けや取り外しが容易で、使用勝手に優れている。
【００６８】
以上説明した本発明の実施形態の開口保持具は、開口保持具が袋状容器に対して簡単にセットできること、開口保持具が袋状容器のサイズに影響されずにセットできること、袋状容器が開口保持具から容易に脱落しないこと、そして収納の終了後に開口保持具が袋状容器から容易に脱着できるという優れた効果を有する。
【００６９】
本発明の実施形態の開口保持具は、開口保持具そのものが袋状容器の留め具の機能を果たしており、袋状容器に対する脱着は極めて容易である。
本発明の実施形態の開口保持具は、さらに次のような作用効果がある。
スーパーマーケット等で使われるショッピングバッグの場合には、開口保持具を固定してショッピングバッグの持ち手の部分を持てば、ショッピングバッグを開口状態で保持しながら、ショッピングバッグの持ち運びが可能である。
【００７０】
本発明の開口保持具の本体の周囲長は、袋状容器の開口部の大きさの大小に応じて、フレキシブルに変更できる。その上、開口保持具の開口面積を常時拡げようとする力が掛けられており、袋状容器の開口部の大きさの大小（例えば口径）には関係なく開口保持具は常時袋状容器の内面に力を掛けることが可能である。さらに、設定された周囲長よりも大きな開口部の内周を有する袋状容器であっても、開口保持具を固定して開口部を開口状態に保持することは可能になる。
【００７１】
また、開口保持具を袋状容器に対して脱着する時には開口保持具を操作するのではなく、袋状容器を操作して袋状容器を開口保持具から外すことが容易にできる。これにより、袋状容器に対する開口保持具の脱着操作を容易に行え、使用勝手が向上する。
【００７２】
本発明の実施形態では、開放保持具の取り付け作業は、開口保持具を袋状容器の開口部に嵌めるだけであり、開口保持具の脱着の際には、袋状容器の端部を開口保持具から剥がす方向に引き上げるだけで容易に行える。
【００７３】
開口保持具の取り付け時にはゴムやスプリングを利用して常時円周を延長する力が掛かっており、本体の材料の可撓性を利用していないので、本体の可撓性が失われても、開口保持具の袋状容器への保持機能は維持される。また、収納の終わった袋状容器は、特に新たな作業をすることなしに、袋のまま廃棄できるので、特別な作業をすることなく作業が進められる。
【００７４】
物を収納する袋状容器は、収納時の前後に開口状態を保持することは必須ではないが、収納作業をする時には袋状容器が開口した状態に保持することが、収納時の作業性を上げるためには有効である。本発明の開口保持具を用いると、袋状容器は、収納作業時に袋状容器の開口部を開いた状態に保つことができ、合わせて開口保持具の取り付け作業と取り外し作業が容易である。
【００７５】
開口保持具は、その拡がろうとする力によって袋状容器の内面に押し付けられている。この時、押し付ける力の方向は袋状容器内面に直角にかかり、袋状容器に対して直角な力で引き剥がそうとしても容易に外れない。
【００７６】
しかし、袋状容器の開口部の縁部分は、開口保持具の本体の幅方向に動かすことで、容易に力のかかっている部分を解放することが可能である。すなわち、開口保持具が袋状容器に取り付けられ、袋状容器の縁部分を開口保持具の本体の幅方向に平行に引くことで、取り外しが容易にできる。袋状容器が収納によって満杯になっても、脱着は容易にかつ内容物を漏出させることなく実施可能である。
【００７７】
開口保持具は袋状容器の開口部に固定された後に、袋状容器のフィルムの上から開口保持具を抱え込む構造であるので、開口保持具に直接穴を開けたり、直接部品を取り付けたりすることなしに、袋状容器は、吊り下げたり、壁面に固定したり、脚部を持って自立させることができる。開口保持具と袋状容器の力の掛かっている接触面は、外から見える位置に来るので、更に容易に内容物の漏出等なしに脱着が可能となる。
【００７８】
ショッピングバッグを利用した手提げ状の袋状容器や、スーパーマーケットで使われるショッピングバッグは、最も安価に入手可能でしかも大量に使われている。この種の袋状容器は、使い捨ての屑篭や、園芸などの汚れ仕事の物入れ、汚物の廃棄等に使用可能である。ショッピングバッグの内側の外縁部に開口保持具を固定した手提げ状容器は、壁や冷蔵庫等の固定部側にフックをつけてぶら下げれば、ごみ入れとしても使用可能である。その上、袋状容器の手提げ部分を下方に下げれば開口保持具は簡単に外れ袋ごと廃棄できる。
【００７９】
ショッピングバッグを紙屑篭などにセットして、使用後そのまま廃棄することはよくあるが、ショッピングバッグの口を開口して確保しておかないと、廃棄のたびに口を開ける必要がある。本発明の実施形態の開口保持具では、袋状容器に開口保持具を設定した後に、袋状容器を反転させれば、屑篭としてクズを投入しておく開口部の開口状態を広く確保できる。その上、この形では、袋状容器の手提げ部分を持ち上げることによって開口保持具は容易に外すことができる。
【００８０】
汚物類は、廃棄用の袋状容器の周辺に接触させずに、袋状容器の奥の方に投入できることが可能であるし、また、フィルムが２層以上に成っても固定は可能なので漏洩の心配あるものの場合には、漏洩リスクを低減でき、その上簡単な操作で脱着が可能である。
麻袋やＰＰのフラットヤーンバッグの場合は、金属製の開口保持具を使って開口部を開口保持する。この場合の取り付け方は、例えば第１実施形態と同じであるが、袋状容器は自立できないので、コンテナのような容器にセットするか、専用スタンドを使用する。
【００８１】
樹脂の袋状容器で内容物が特に重い場合、袋状容器の深さ方向の真ん中あたりに開口保持具を固定して袋状容器の辺縁部を折り返し、内側の袋状容器の外からもう一重の容器として袋状容器の底の部分で縛り、二重袋を実現できる。収納時に二重袋で収納を図り、収納後は折り返した辺縁部を戻して上部で結束出来る。
【００８２】
農作業や園芸作業の際に、特に、収穫時にはコンテナのような箱を携行するのは作業的に非生産的なので、開口保持した樹脂製の袋状容器に吊り紐をつけて首から吊るし、収穫物等を収納する方法を採用すると、作業効率が高い。
【００８３】
複数枚の袋状容器を重ねて使用する場合には、本発明の実施形態の開口保持具は、袋状容器を複数枚重ねて開口保持することが可能である。複数枚重ねた袋状容器が満杯に成った場合や、異なった袋状容器に収納したい場合には、収納した袋状容器を脱着して重ねられた次の袋状容器を使用して、連続的に異なった袋状容器への収納が可能となる。
【００８４】
本発明の実施形態の開口保持具は、袋状容器の大きさに関係なく、あらゆる袋状容器の開口保持が持続的に可能であるので、収納作業を容易にできる。しかも、開口保持具は、袋状容器に対して取り付けたり、袋状容器から取り外す作業が容易なために、収納物の脱落を最小化できる。また、開口保持中に袋状容器の形状に変化（伸長、収縮など）が有っても、開口保持具の固定強度は下がらない。
【００８５】
以上、本発明の実施形態を説明したが、本発明の範囲を限定することは意図していない。本発明の要旨を逸脱しない範囲で、種々の省略、置き換え、変更を行うことができる。図示した各実施形態は、任意に組み合わせることができる。本発明の開口保持具は、図示した例に限らず、任意の形状を採用できる。
【符号の説明】
【００８６】
１      袋状容器の開口保持具
２      本体
２Ａ    一端部
２Ｂ    他端部
２Ｃ    本体の外面
３      押し付け手段
５      滑り止め部材
５０    寸法調整手段
ＭＧ    マグネット（取付手段の例）
Ｋ      専用スタンド部材（取付手段の例であるスタンド部材）
ＳＨ    専用スタンド部材（取付手段の例であるスタンド部材）
ＣＨ    専用脚立（取付手段の例）
１００  袋状容器
１０１  開口部
１０２  袋状容器の内面の縁辺部
【図１】
2020200089.tif 000003
【図２】
2020200089.tif 000004
【図３】
2020200089.tif 000005
【図４】
2020200089.tif 000006
【図５】
2020200089.tif 000007
【図６】
2020200089.tif 000008
【図７】
2020200089.tif 000009
【図８】
2020200089.tif 000010
【図９】
2020200089.tif 000011
【図１０】
2020200089.tif 000012
【図１１】
2020200089.tif 000013
【図１２】
2020200089.tif 000014
【図１３】
2020200089.tif 000015
【図１４】
2020200089.tif 000016
【図１５】
2020200089.tif 000017
【図１６】
2020200089.tif 000018
【図１７】
2020200089.tif 000019
【図１８】
2020200089.tif 000020
【図１９】
2020200089.tif 000021
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
袋状容器の開口部を開口状態に保持する袋状容器の開口保持具であって、
板状の部材により作られており、前記袋状容器の前記開口部の内面側に配置される本体と、
前記本体に設けられて前記本体の外面を前記開口部の前記内面に押し付ける押し付け手段とを有し、
前記押し付け手段は、前記本体の周方向長さを前記開口部の前記内面の周方向長さより短い長さから長い長さに渡る範囲において伸縮自在に変形させるとともに、前記本体と対面する前記袋状容器の前記開口部の外面が自由な状態において、前記本体を前記内面の周方向長さより長くなるように展張させて、前記本体の前記外面を前記袋状容器の前記内面に圧接させて前記内面に前記本体を相対移動しない不動状態に押し付けるように形成されている
ことを特徴とする袋状容器の開口保持具。
【請求項２】
前記本体は、複数種類の前記袋状容器における前記開口部の前記内面の長短複数種類の周方向長さに対して伸縮自在な周方向長さを有し、前記押し付け手段は、弾性部材であり、前記本体の一端部と他端部との間に取り付けられている請求項１に記載の袋状容器の開口保持具。
【請求項３】
前記本体の前記外面の周囲長を調整する寸法調整手段を有する請求項１または２に記載の袋状容器の開口保持具。
【請求項４】
前記開口保持具の前記本体を、固定部側に取り付ける取付手段を有する請求項１ないし３のいずれか１項に記載の袋状容器の開口保持具。
【請求項５】
前記取付手段は、前記固定部側に磁気的に着脱可能に取り付けるマグネットである請求項４に記載の袋状容器の開口保持具。
【請求項６】
前記取付手段は、前記固定部側に機械的に取り付けるアタッチメントである請求項４に記載の袋状容器の開口保持具。
【請求項７】
前記取付手段は、前記固定部側である床面に立てて保持するスタンド部材である請求項４に記載の袋状容器の開口保持具。
【請求項８】
前記本体の外面には、滑り止め部材が配置されている請求項１ないし７のいずれか１項に記載の袋状容器の開口保持具。
【手続補正２】
【補正対象書類名】明細書
【補正対象項目名】００１４
【補正方法】変更
【補正の内容】
【００１４】
前記課題を解決するための、本発明の第１の袋状容器の開口保持具は、前記押し付け手段は、前記本体の周方向長さを前記開口部の前記内面の周方向長さより短い長さから長い長さに渡る範囲において伸縮自在に変形させるとともに、前記本体と対面する前記袋状容器の前記開口部の外面が自由な状態において、前記本体を前記内面の周方向長さより長くなるように展張させて、前記本体の前記外面を前記袋状容器の前記内面に圧接させて前記内面に前記本体を相対移動しない不動状態に押し付けるように形成されていることを特徴とする。
【手続補正３】
【補正対象書類名】明細書
【補正対象項目名】００１６
【補正方法】変更
【補正の内容】
【００１６】
第２の袋状容器の開口保持具は、前記本体は、複数種類の前記袋状容器における前記開口部の前記内面の長短複数種類の周方向長さに対して伸縮自在な周方向長さを有し、前記押し付け手段は、弾性部材であり、前記本体の一端部と他端部との間に取り付けられていることを特徴とする。
第２の袋状容器の開口保持具おいては、押し付け手段は、本体の一端部と他端部の間に取り付けられているので、押し付け手段は、本体の外面側には出ない位置で、押し付け手段が袋状容器の内面に当たることはなく、本体の外面を開口部の内面に押し付けることができる。
【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
袋状容器の開口部を開口状態に保持する袋状容器の開口保持具であって、
板状の部材により作られており、前記袋状容器の前記開口部の内面側に配置される本体と、
前記本体に別体として設けられて前記本体の外面を前記開口部の前記内面の全周に亘って押し付ける押し付け手段とを有し、
前記押し付け手段は、前記本体の周方向長さを前記開口部の前記内面の周方向の全周長より短い長さから長い長さに渡る範囲において伸縮自在に変形させるとともに、前記本体と対面する前記袋状容器の前記開口部の外面が自由な状態において、前記本体を前記内面の全周長より長くなるように展張させる力を付与して、前記本体の前記外面を前記袋状容器の前記内面の全周に亘って圧接させて、前記内面の全周に亘って前記本体を相対移動しない不動状態に押し付ける圧接力を前記内面の全周に亘って均一に付与するように形成されている
ことを特徴とする袋状容器の開口保持具。
【請求項２】
前記本体は、複数種類の前記袋状容器における前記開口部の前記内面の長短複数種類の周方向長さに対して伸縮自在な周方向長さを有し、前記押し付け手段は、弾性部材であり、前記本体の一端部と他端部との間に取り付けられている請求項１に記載の袋状容器の開口保持具。
【請求項３】
前記本体の前記外面の周囲長を調整する寸法調整手段を有する請求項１または２に記載の袋状容器の開口保持具。
【請求項４】
前記開口保持具の前記本体を、固定部側に取り付ける取付手段を有する請求項１ないし３のいずれか１項に記載の袋状容器の開口保持具。
【請求項５】
前記取付手段は、前記固定部側に磁気的に着脱可能に取り付けるマグネットである請求項４に記載の袋状容器の開口保持具。
【請求項６】
前記取付手段は、前記固定部側に機械的に取り付けるアタッチメントである請求項４に記載の袋状容器の開口保持具。
【請求項７】
前記取付手段は、前記固定部側である床面に立てて保持するスタンド部材である請求項４に記載の袋状容器の開口保持具。
【請求項８】
前記本体の外面には、滑り止め部材が配置されている請求項１ないし７のいずれか１項に記載の袋状容器の開口保持具。
【手続補正２】
【補正対象書類名】明細書
【補正対象項目名】００１４
【補正方法】変更
【補正の内容】
【００１４】
前記課題を解決するための、本発明の第１の袋状容器の開口保持具は、袋状容器の開口部を開口状態に保持する袋状容器の開口保持具であって、板状の部材により作られており、前記袋状容器の前記開口部の内面側に配置される本体と、前記本体に別体として設けられて前記本体の外面を前記開口部の前記内面の全周に亘って押し付ける押し付け手段とを有し、前記押し付け手段は、前記本体の周方向長さを前記開口部の前記内面の周方向の全周長より短い長さから長い長さに渡る範囲において伸縮自在に変形させるとともに、前記本体と対面する前記袋状容器の前記開口部の外面が自由な状態において、前記本体を前記内面の全周長より長くなるように展張させる力を付与して、前記本体の前記外面を前記袋状容器の前記内面の全周に亘って圧接させて、前記内面の全周に亘って前記本体を相対移動しない不動状態に押し付ける圧接力を前記内面の全周に亘って均一に付与するように形成されていることを特徴とする。
【手続補正書】
【提出日】令和2年5月11日(2020.5.11)
【手続補正１】
【補正対象書類名】明細書
【補正対象項目名】００２４
【補正方法】変更
【補正の内容】
【００２４】
【図１】本発明の袋状容器の開口保持具の好ましい第１実施形態を示す斜視図である。
【図２】図２は、図１に示す袋状容器の開口保持具を示す平面図である。
【図３】袋状容器の開口保持具を袋状容器の内部に装着する様子を示す図である。
【図４】開口保持具が、袋状容器の内面の縁辺部に密着して配置されている状態を示す図である。
【図５】袋状容器の取っ手が、矢印Ｑ方向に折り曲げられた状態を示す図である。
【図６】袋状容器が開口保持具を用いた図５に示す状態とは異なる使用例を示す図である。
【図７】ショッピングバッグのような袋状容器の別の使用例を示す図である。
【図８】第１実施形態の開口保持具の応用例を示す図である。
【図９】第１実施形態の開口保持具の応用例を示す図である。
【図１０】第１実施形態の開口保持具の応用例を示す図である。
【図１１】第１実施形態の開口保持具の応用例を示す図である。
【図１２】第１実施形態の開口保持具の応用例を示す図である。
【図１３】第１実施形態の開口保持具の応用例を示す図である。
【図１４】本発明の第２実施形態を示す図である。
【手続補正２】
【補正対象書類名】明細書
【補正対象項目名】００５５
【補正方法】削除
【補正の内容】
【手続補正３】
【補正対象書類名】明細書
【補正対象項目名】００５６
【補正方法】削除
【補正の内容】
【手続補正４】
【補正対象書類名】明細書
【補正対象項目名】００５７
【補正方法】削除
【補正の内容】
【手続補正５】
【補正対象書類名】明細書
【補正対象項目名】００５８
【補正方法】削除
【補正の内容】
【手続補正６】
【補正対象書類名】明細書
【補正対象項目名】００５９
【補正方法】削除
【補正の内容】
【手続補正７】
【補正対象書類名】明細書
【補正対象項目名】００６０
【補正方法】削除
【補正の内容】
【手続補正８】
【補正対象書類名】明細書
【補正対象項目名】００６１
【補正方法】削除
【補正の内容】
【手続補正９】
【補正対象書類名】明細書
【補正対象項目名】００６２
【補正方法】削除
【補正の内容】
【手続補正１０】
【補正対象書類名】明細書
【補正対象項目名】００６３
【補正方法】削除
【補正の内容】
【手続補正１１】
【補正対象書類名】明細書
【補正対象項目名】００６４
【補正方法】削除
【補正の内容】
【手続補正１２】
【補正対象書類名】明細書
【補正対象項目名】００６５
【補正方法】削除
【補正の内容】
【手続補正１３】
【補正対象書類名】明細書
【補正対象項目名】００６６
【補正方法】削除
【補正の内容】
【手続補正１４】
【補正対象書類名】明細書
【補正対象項目名】００６７
【補正方法】削除
【補正の内容】
【手続補正１５】
【補正対象書類名】明細書
【補正対象項目名】００８６
【補正方法】変更
【補正の内容】
【００８６】
１      袋状容器の開口保持具
２      本体
２Ａ    一端部
２Ｂ    他端部
２Ｃ    本体の外面
３      押し付け手段
５      滑り止め部材
ＭＧ    マグネット（取付手段の例）
Ｋ      専用スタンド部材（取付手段の例であるスタンド部材）
ＳＨ    専用スタンド部材（取付手段の例であるスタンド部材）
ＣＨ    専用脚立（取付手段の例）
１００  袋状容器
１０１  開口部
１０２  袋状容器の内面の縁辺部
【手続補正１６】
【補正対象書類名】図面
【補正対象項目名】図１５
【補正方法】削除
【補正の内容】
【手続補正１７】
【補正対象書類名】図面
【補正対象項目名】図１６
【補正方法】削除
【補正の内容】
【手続補正１８】
【補正対象書類名】図面
【補正対象項目名】図１７
【補正方法】削除
【補正の内容】
【手続補正１９】
【補正対象書類名】図面
【補正対象項目名】図１８
【補正方法】削除
【補正の内容】
【手続補正２０】
【補正対象書類名】図面
【補正対象項目名】図１９
【補正方法】削除
【補正の内容】